(57)【要約】      （修正有）【課題】電池蓋を押さえた状態でもスムーズに絶縁シートを引き抜くことのできる電池ホルダ及びこれを具えた電子機器を提供する。【解決手段】収容されるコイン型電池の負極キャップと対向する底面31を有する電池収容部30と、該電池収容部を塞ぐ電池蓋とを具え、前記底面には前記負極キャップと電気的に接続されるマイナス側の接点端子を配し、前記底面と負極キャップとの間に絶縁シート50を引き抜き可能に配設できる電池ホルダ20であって、前記底面は、前記負極キャップに当接する当接部36と、該当接部よりも凹んだ段差を有し、絶縁シートが配設される絶縁シート挿通部34と、を有する。【選択図】図３
2014038763.tif 000002
【特許請求の範囲】
【請求項１】
収容されるコイン型電池の負極キャップと対向する底面を有する電池収容部と、該電池収容部を塞ぐ電池蓋とを具え、前記底面には前記負極キャップと電気的に接続されるマイナス側の接点端子を配し、前記底面と負極キャップとの間に絶縁シートを引き抜き可能に配設できる電池ホルダであって、
前記底面は、
前記負極キャップに当接する当接部と、
該当接部よりも凹んだ段差を有し、絶縁シートが配設される絶縁シート挿通部を有することを特徴とする電池ホルダ。
【請求項２】
前記当接部と絶縁シート挿通部との段差は、配設される絶縁シートの厚さ以上である請求項１に記載の電池ホルダ。
【請求項３】
前記絶縁シート挿通部は、前記当接部よりも凹んだ溝である請求項１又は請求項２に記載の電池ホルダ。
【請求項４】
前記当接面は、前記底面から突設される突部である請求項１又は請求項２に記載の電池ホルダ。
【請求項５】
請求項１乃至請求項４の何れかに記載の電池ホルダを具える電子機器。
【発明の詳細な説明】
【技術分野】
【０００１】
本発明は、携帯型音楽プレーヤ、時計、リモコンなど、コイン型電池を内蔵する電子機器の電池ホルダに関するものであり、より具体的には、未使用状態においてコイン型電池の消耗を抑えるための絶縁シートを配備した電池ホルダ及びこれを具えた電子機器に関するものである。
【背景技術】
【０００２】
円盤状のリチウム電池の如きコイン型電池は、外装を有底浅筒状の正極缶と該正極缶の開口を覆う負極キャップにて構成される。
この種のコイン型電池は、電池形状に対応する底面とその周面に周壁を有する電池ホルダに収容される。電池ホルダには、前記底面にマイナス側の接点端子、周壁にはプラス側の接点端子が夫々設けられ、負極キャップをマイナス側の接点端子と電気的に接続し、正極缶の周面をプラス側の接点端子と電気的に接続するようにしている。
【０００３】
また、コイン型電池が電池ホルダから脱落しないように、電池ホルダはその開口が電池蓋により閉じられる。
【０００４】
予めコイン型電池を収容した電子機器では、ユーザが購入して使用する前の段階で電池の消耗などを防ぐために、マイナス側の接点端子と負極キャップとの間に絶縁シートを配設している(例えば、特許文献１参照)。絶縁シートは、基端が電池ホルダから延出するように配設し、ユーザが、延出した基端を引っ張ることで、簡単に絶縁シートを引き抜いて、通電状態を確保できるようにしている。
【先行技術文献】
【特許文献】
【０００５】
【特許文献１】特開２００９−１６３３１８号公報
【発明の概要】
【発明が解決しようとする課題】
【０００６】
絶縁シートを引っ張る際に、電池蓋を押さえてしまうと、電池蓋が撓んで内向きに凹み、コイン型電池が電池ホルダの底面に押し付けられてしまう。このため、この状態で絶縁シートを引っ張っても、絶縁シートが負極キャップと前記底面との間に絶縁シートに挟まれて抜けないことがある。
【０００７】
本発明の目的は、電池蓋を押さえた状態でもスムーズに絶縁シートを引き抜くことのできる電池ホルダ及びこれを具えた電子機器を提供することである。
【課題を解決するための手段】
【０００８】
本発明に係る電池ホルダは、
収容されるコイン型電池の負極キャップと対向する底面を有する電池収容部と、該電池収容部を塞ぐ電池蓋とを具え、前記底面には前記負極キャップと電気的に接続されるマイナス側の接点端子を配し、前記底面と負極キャップとの間に絶縁シートを引き抜き可能に配設できる電池ホルダであって、
前記底面は、
前記負極キャップに当接する当接部と、
該当接部よりも凹んだ段差を有し、絶縁シートが配設される絶縁シート挿通部と、
を有する。
【発明の効果】
【０００９】
本発明に係る電池ホルダによれば、絶縁シートは、負極キャップに当接する当接部よりも凹んだ段差を有するよう形成された絶縁シート挿通部に配設することができる。従って、絶縁シートを引き抜く際に、電池蓋を押さえたとしても、コイン型電池の負極キャップは当接部に当たり、絶縁シートは負極キャップからの押圧力をほとんど受けないから、絶縁シートをスムーズに引き抜くことができる。
【図面の簡単な説明】
【００１０】
【図１】図１は、本発明の一実施例に係る電子機器を前上方から見た斜視図である。
【図２】図２は、本発明の一実施例に係る電子機器を前下方から見た斜視図である。
【図３】図３は、下カバーの斜視図であって、コイン型電池と電池蓋を取り外した状態を示す斜視図である。
【図４】図４は、下カバーの斜視図であって、コイン型電池を収容し、電池蓋を取付途上にある状態を示す斜視図である。
【図５】図５は、絶縁シートを装着した状態の電子機器の底面図である。
【図６】図６は、図５の線Ｘ−Ｘに沿う電池ホルダの拡大断面図である。
【図７】図７は、図６の線Ｙ−Ｙに沿う電池ホルダの拡大断面図である。
【図８】図８は、絶縁シートを引き抜いた状態の電子機器の底面図である。
【図９】図９は、図８の線Ｘ−Ｘに沿う電池ホルダの拡大断面図である。
【図１０】図１０は、図８の線Ｙ−Ｙに沿う電池ホルダの拡大断面図である。
【発明を実施するための形態】
【００１１】
以下、本発明を信号の入出力やアナログ・デジタル変換可能なリーダライタ(10)に適用した実施例について説明を行なう。しかしながら、電子機器はこれに限定されず、コイン型電池を動作用及び／又はメモリ等のバックアップ用に使用する各種電子機器に適用することができる。この種電子機器として、携帯型音楽プレーヤ、デジタルカメラ、時計、電卓、ＰＤＡ(Personal  Digital  Assistant)、電子辞書などを例示することができる。
【００１２】
図１及び図２に示すように、本発明の一実施例に係るリーダライタ(10)は、横長の筺体(11)の上面に液晶パネル(14)と複数の操作ボタン(15)を有し、前面に２つのＳＤカードスロット(16)とヘッドホン用出力部(17)を有する。また、図示はしないが、リーダライタ(10)の背面には、音声、映像のアナログ入力端子や、ＨＤＭＩ接続端子、ＵＳＢ接続端子、電源入力端子などが配置される。
【００１３】
リーダライタ(10)は、ビデオデッキなどの外部入力機器から入力された映像や音声などのアナログ信号をデジタル変換して液晶パネル(14)に表示したり、これら信号をＳＤカードスロットに挿入されるＳＤカードや外部接続されるハードディスクなどに記録するなどの機能を有する。
【００１４】
リーダライタ(10)の裏面には、図２に示すように、電池蓋(40)に覆われた電池ホルダ(20)を具える。図３及び図４は、筺体(11)の下面を構成する樹脂製の下カバー(12)を取り出して示す斜視図であって、図３は、コイン型電池と電池蓋を未装着の状態、図４は、コイン型電池(60)を装着し、電池蓋(40)を取り付ける途上の状態を示している。電池蓋(40)は、図４に示すように、下カバー(12)の横方向から挿脱することができる。
【００１５】
下カバー(12)は、図３乃至図７に示すように、電池蓋(40)の厚さ分だけ凹んだ電池蓋取付面(21)に電池収容部(30)が凹設されている。図示の実施例では、電池蓋取付面(21)は、電池蓋(40)の挿入方向先端に電池蓋(40)を係止する係止孔(22)が設けられており、挿入方向基端側の両側には、電池蓋(40)を案内し、脱落を阻止するガイド溝(23)が凹設されている。
【００１６】
一方、電池蓋(40)には、挿入方向先端に前記係止孔(22)と係合するフック(41)が突設されており、挿入方向基端の両側には、前記ガイド溝(23)と係合するガイド部材(42)が突設されている。また、電池蓋(40)には内面側に電池収容部(30)と対向する位置にコイン型電池(60)の浮き上がりを阻止し、電源の瞬断を防ぐための突起(43)が形成されている。
【００１７】
電池蓋取付面(21)に形成される電池収容部(30)には、コイン型電池(60)を収容可能となっている。より詳細には、電池収容部(30)は、収容されるコイン型電池(60)の形状に応じて形成された凹みであって、コイン型電池(60)の負極キャップ(61)に対向する底面(31)と、該底面(31)の周縁の一部又は全周から上向きに突設された周壁(39)を有する。
【００１８】
電池収容部(30)の底面(31)には、略中央に矩形の端子用孔(32)が貫通開設されており(図６及び図７参照)、該端子用孔(32)からマイナス側の接点端子(33)が電池収容部(30)内に侵入している。接点端子(33)は、弾性変形可能に形成され、コイン型電池(60)の負極キャップ(61)に押し付けられ、電気的に接続可能となっている。
【００１９】
また、電池収容部(30)の底面(31)には、コイン型電池(60)の負極キャップ(61)に当接する当接部(36)と、該当接部(36)よりも一段低く凹んで設けられる絶縁シート挿通部(34)を有する。
【００２０】
図示の実施例では、絶縁シート挿通部(34)は、当接部(36)に対して段差を設けるために、電池蓋(40)の挿脱方向に沿う向き形成された溝であって、前述した端子用孔(32)は、絶縁シート挿通部(34)に設けられている。
【００２１】
当接部(36)と絶縁シート挿通部(34)との段差は、配設される絶縁シート(50)の厚さ以上とすることが好適である。
【００２２】
電池収容部(30)の周壁(39)には、図３及び図４に示すように、前記した絶縁シート挿通部(34)に連続する凹部(37)(37a)と、コイン型電池(60)を取り外す際にピン状の治具を挿入するための凹み(38)が凹設されている。また、図示はしないが、周壁(39)には、プラス側の接点端子が設けられており、コイン型電池(60)の正極缶(62)の周面と電気的に接続可能となっている。
【００２３】
図示の実施例では、電池蓋取付面(21)は、電池収容部(30)の開口側に、電池収容部(30)の一部を覆う抜止め(24)が延設されており、収容されるコイン型電池(60)の脱落を阻止するようにしている。
【００２４】
前述の絶縁シート挿通部(34)には、マイナス側の接点端子(33)と負極キャップ(61)との間の絶縁を図るための絶縁シート(50)を配設することができる。
絶縁シート(50)は、ＰＥＴ(ポリエチレンテレフタレート)、ＰＰ(ポリプロピレン)、ＰＳ(ポリスチレン)などの電気絶縁性を具備し、可撓性を有する薄い材料を採用することができる。絶縁シート(50)の厚さは、例えば０．０１ｍｍ〜０．２ｍｍ程度とすることができる。
【００２５】
図示の実施例では、絶縁シート(50)は、短冊状に形成されており、その長辺は、接点端子(33)と負極キャップ(61)との間に挟んだ状態で、基端側が電池蓋(40)と電池蓋取付面(21)との間から引き出される長さを有し、短辺は、絶縁シート挿通部(34)に嵌まる幅とする。
なお、絶縁シート(50)の長辺は、図３乃至図６に示すように、電池収容部(30)を横断し、コイン型電池(60)を収容したときに、絶縁シート(50)の先端が視認可能な長さとすることが望ましい。絶縁シート(50)を装着し、コイン型電池(60)を収容したときに、絶縁シート(50)の先端が視認されれば、接点端子(33)と負極キャップ(61)が絶縁されていることを確認できるからである。
【００２６】
上記構成の電池ホルダ(20)において、図３に示すように、まず、絶縁シート(50)を電池収容部(30)の絶縁シート挿通部(34)に配設する。絶縁シート(50)は、基端が電池蓋取付面(21)から延出し、周壁(39)の凹部(37)を通って、絶縁シート挿通部(34)に嵌るように配設する。絶縁シート(50)は、少なくとも接点端子(33)を覆うように配設し、望ましくは、絶縁シート(50)の先端が、電池収容部(30)を横断して凹部(37a)を通り、電池蓋取付面(21)の係止孔(22)の近傍まで延びるように配設する。
【００２７】
次に、図４に示すように、電池収容部(30)にコイン型電池(60)を収容する。コイン型電池(60)は、負極キャップ(61)が電池収容部(30)の底面(31)側に向くように入れる。図示の実施例では、電池収容部(30)に抜止め(24)を延設しているから、コイン型電池(60)は、抜止め(24)の下に入るように斜め向きに挿入した後、電池収容部(30)に押し込めばよい。
【００２８】
コイン型電池(60)は、電池収容部(30)の底面(31)に対して、図６及び図７に示すように、負極キャップ(61)が当接部(36)に当たった状態で収容される。
【００２９】
電池収容部(30)にコイン型電池(60)を収容した後、電池蓋(40)を下カバー(12)の横方向から電池蓋取付面(21)に沿うようにスライドさせて電池蓋(40)で電池収容部(30)を塞ぐ。電池蓋(40)は、フック(41)が係止孔(22)と係合し、ガイド部材(42)がガイド溝(23)に嵌るように取り付けることで下カバー(12)に脱落不能に取り付けることができる。
【００３０】
図５及び図６に示すように、電池蓋(40)を取り付けた状態で、絶縁シート(50)の基端は電池蓋(40)の基端側から横方向に延出している。
【００３１】
また、図６及び図７に示すように、絶縁シート(50)は、絶縁シート挿通部(34)に嵌まって、接点端子(33)と負極キャップ(61)を絶縁状態としている。
絶縁シート(50)は、接点端子(33)の弾性力により負極キャップ(61)に押し付けられているから、絶縁シート(50)に引き抜き方向の力を加えない限り、脱落してしまうことはない。
【００３２】
上記のように配設された絶縁シート(50)は、ユーザが機器を使用する際に取り外される。具体的には、絶縁シート(50)の延出部分を指先で摘んで、図６中矢印Ａ方向に引っ張ることにより、絶縁シート(50)は電池収容部(30)から引き出される。本発明では、絶縁シート(50)は、絶縁シート挿通部(34)に嵌まっており、負極キャップ(61)と当接部(36)との間に挟まれていないから、絶縁シート(50)を引っ張ったときの引き出し抵抗を小さくすることができ、絶縁シート(50)をスムーズに引き抜くことができる。特に、図６中矢印Ｂに示すように、ユーザが指先で電池蓋(40)に押圧力を加えた状態で絶縁シート(50)を引っ張ったとしても、電池蓋(40)の突起(43)に押されたコイン型電池(60)は、負極キャップ(61)が当接部(36)に当たることで押圧力を受け止めることとなり、絶縁シート(50)には作用しない。従って、絶縁シート(50)が引き抜き難くなることもない。
【００３３】
図８乃至図１０は、絶縁シート(50)を取り外した状態を示している。図に示すように、絶縁シート(50)を取り外すことで、接点端子(33)は、その弾性力により、負極キャップ(61)に押し付けられて、電気的な接続が行なわれ、通電状態を確保することができる。
【００３４】
本発明によれば、絶縁シート(50)をスムーズに引き抜くことができ、例え電池蓋(40)を押した状態であっても、絶縁シート(50)が抜けなくなってしまうことはない。
【００３５】
本発明は上記実施例の構成に限定されることはなく、特許請求の範囲に記載の範囲で種々の変形が可能である。
例えば、絶縁シート挿通部(34)は、上記実施例では当接部(36)よりも凹んだ溝としているが、当接部(36)を電池収容部(30)の底面(31)から突設した突起や突条として段差を付け、これら突起や突条に負極キャップ(61)を当接させ、突起や突条の形成されていない底面(31)部分を絶縁シート挿通部(34)としてもよい。
【００３６】
また、電池蓋(40)は、上記実施例のようにスライドにより着脱するものに限定されず、一端を軸支して回転することで電池収容部(30)を塞ぐタイプのものや、ネジ止めなどにより取り付けられるタイプのもの等であってもよい。
【産業上の利用可能性】
【００３７】
本発明は、電池蓋を押さえた状態でもスムーズに絶縁シートを引き抜くことのできる電池ホルダ及びこれを具えた電子機器として有用である。
【符号の説明】
【００３８】
(10)  リーダライタ(電子機器)
(12)  下カバー
(20)  電池ホルダ
(30)  電池収容部
(31)  底面
(33)  接点端子
(34)  シート挿通部
(36)  当接部
(40)  電池蓋
(50)  絶縁シート
(60)  コイン型電池
(61)  負極キャップ
【図１】
2014038763.tif 000003
【図２】
2014038763.tif 000004
【図３】
2014038763.tif 000005
【図４】
2014038763.tif 000006
【図５】
2014038763.tif 000007
【図６】
2014038763.tif 000008
【図７】
2014038763.tif 000009
【図８】
2014038763.tif 000010
【図９】
2014038763.tif 000011
【図１０】
2014038763.tif 000012